(57)【要約】【課題】前進時に前側からの吸込みができるにも拘らず、後退時の吸塵性能を向上できる電気掃除機の吸込み口体を得ることにある。【解決手段】被掃除面Ｆと対向する第１吸塵開口２７、及びこの開口２７より前側で吸塵する第２吸塵開口２９を有した吸込み口本体１５に、被掃除面Ｆに接して回動される吸塵ノズル（開閉体）３０を取付ける。開閉体３０は、吸込み口本体１５の前進と後退とに連動し、吸込み口本体１５の前進時には第２吸塵開口２９を開き、後退時には第２吸塵開口２９を閉じる。後退時に第２吸塵開口２９が閉じられることで、吸込み口本体１５内の真空度を高めて、第１吸塵開口２７での吸込みを向上できるようにしている。【選択図】　　図２
2004065915.tif 000002
【特許請求の範囲】
【請求項１】
吸塵開口を有した吸込み口本体と、
前記吸塵開口より前側に前記吸込み口本体の前進と後退とに連動して変向可能に取付けられた可動吸塵体と、
前記吸塵開口に臨んで前記吸込み口本体に回転自在に内蔵され、前記可動吸塵体を通って吸込まれた空気によって前記吸込み口本体の移動方向に対し逆らう回転方向となるように正転又は逆転される回転清掃体と、
を具備する吸込み口体。
【請求項２】
請求項１に記載の吸込み口体において、前記可動吸塵体が回転するものであって、この可動吸塵体には被掃除面に接して前記可動吸塵体を回転させる抵抗体が取付けられている。
【請求項３】
第１吸塵開口、及びこの第１吸塵開口より前側で吸塵する第２吸塵開口を有した吸込み口本体と、
この本体に取付けられて、前記吸込み口本体の前進と後退とに連動し、前記吸込み口本体の前進時に前記第２吸塵開口を開き、前記吸込み口本体の後退時に前記第２吸塵開口を閉じる開閉体と、
を具備する吸込み口体。
【請求項４】
第１吸塵開口、この第１吸塵開口より前側で吸塵する第２吸塵開口、及び前記第１吸塵開口に前側から連通しかつ被清掃面との間に通気間隙を形成する床面対向壁を有した吸込み口本体と、
この吸込み口本体に取付けられて、前記吸込み口本体の前進と後退とに連動し、前記吸込み口本体の前進時に前記第２吸塵開口及び前記通気間隙を夫々開くとともに、前記吸込み口本体の後退時に前記第２吸塵開口及び前記通気間隙を夫々閉じる開閉体と、
を具備する吸込み口体。
【請求項５】
請求項４に記載の吸込み口本体において、前記通気間隙の風路断面積は、前記第２吸塵開口への吸込み風路断面積以下に設定されている。
【請求項６】
請求項３〜５の内のいずれか１項に記載の吸込み口体において、前記開閉体は通気孔とこの通気孔を規定する壁部とを有していて、この開閉体が、前記吸込み口本体の前進時に前記通気孔を前記第２吸塵開口に対向させる位置と、前記吸込み口本体の後退時に前記壁部で前記第２吸塵開口を閉じる位置とにわたって、前記吸込み口本体に回転可能に取付けられている。
【請求項７】
請求項６に記載の吸込み口体において、被掃除面に接して前記開閉体を回動させる抵抗体が、前記開閉体に取付けられている。
【請求項８】
請求項６に記載の吸込み口体において、前記抵抗体が拭き部材であり、軸方向に延びるように設けられている。
【請求項９】
請求項３又は４に記載の吸込み口体において、前記第１吸塵開口に臨んで前記吸込み口本体に回転清掃体が回転自在に内蔵されている。
【請求項１０】
掃除機本体内の電動送風機の動作により、前記掃除機本体の集塵室に連通された吸込み口体の吸塵開口から被掃除面の塵を空気とともに吸込んで、この吸込んだ塵を前記集塵室内のフィルタで捕捉する電気掃除機において、前記吸込み口体に請求項１〜９の内のいずれか一項に記載の吸込み口体を用いた電気掃除機。
【発明の詳細な説明】
【０００１】
【発明の属する技術分野】
本発明は、床面等被掃除面の塵を効果的に吸込めるように改善した吸込み口体、及びこの吸込み口体を備えた電気掃除機に関する。
【０００２】
【従来の技術】
電気掃除機用吸込み口体の中には、吸込み口本体の前縁に、壁際の起立壁面に当たることによって開く前縁シールを設けたものがある。この前縁シールは通常閉じている。そのため、吸込み口体を前進させる時にも、後退させる時にも吸込み口本体の前側からの吸込みができない。
【０００３】
これに対し、電気掃除機用吸込み口体の中には、被掃除面と対向して吸塵する主吸塵開口より前側位置に前側吸塵開口を設けたものがある。前側吸塵開口は吸込み口本体の前縁部に常に開いた横長な孔で形成されている。この吸込み口体は、それを押出して前進させる時に、前側吸塵開口を通して吸込み口本体の前側からの吸込みができるので、吸込み口本体の前縁で塵を押し動かさないようにできる点で優れている。
【０００４】
ところが、前側吸塵開口を通しての吸込みは、吸込み口体を引き戻して後退させる時にも行なわれる。吸込み口体を後退させる時には、この吸込み口体を被掃除面に押付ける力が与えられない。そのため、一般的には被掃除面に対して吸込み口体が前傾するように浮き上がり易く、それに伴い吸込み口体内部の真空度が低下する傾向にある。こうした条件に加えて、既述のように前吸込みが行なわれるので、吸込み口体内部の真空度が一層低下する。したがって、吸込み口体の後退時での主吸塵開口を通して吸込みが弱くなって、吸塵性能が低下する。
【０００５】
又、電気掃除機用吸込み口体の中には、回転ブラシが内蔵された吸込み口本体の前縁に、常に開いた横長な孔からなる前側吸塵開口を設け、この前側吸塵開口を通して吸込まれた空気を回転ブラシに吹付けて、回転ブラシを回転させるようにしたものがある。
【０００６】
このものにおいても、吸込み口体を後退させる時にはその内部の真空度が一層低下して、主吸塵開口を通しての吸込みが弱くなり吸塵性能が低くなるので、その改善が求められている。又、前側吸塵開口を通った気流が回転ブラシに吹き付けられる方向は一定であって、吸込み口体の前進・後退に拘らず回転ブラシは一定方向にのみ回転されるようになっている。そのため、吸込み口体を前進させる時に、この前進方向に逆らうように回転ブラシを回転させて塵の掻き出し性能を確保している場合、吸込み口体を後退させる時には、この後退方向に対して回転ブラシが連れ回りして、このブラシによる塵の掻き出し作用が低下するに伴い、吸塵性能が低下する（例えば、特許文献１参照。）。
【０００７】
【特許文献１】
特開２００１−１２８９０４号公報（段落０００１７〜段落００３２，図１）
【０００８】
【発明が解決しようとする課題】
本発明が解決しようとする課題は、前進時に前側からの吸込みができるにも拘らず、後退時の吸塵性能を向上できる吸込み口体及びこれを備えた電気掃除機を得ることにある。
【０００９】
【課題を解決するための手段】
前記課題を解決するために、請求項１の発明は、吸塵開口を有した吸込み口本体に、吸塵開口に臨んで回転清掃体を回転自在に内蔵するとともに、吸込み口本体の前進と後退とに連動して変向される可動吸塵体を吸塵開口より前側に取付け、この可動吸塵体を通って吸込まれた空気によって回転清掃体を吸込み口本体の移動方向に対し逆らう回転方向となるように正転又は逆転させるようにしている。
【００１０】
この発明において、回転清掃体には、被掃除面の塵を、掃く、若しくは掻き出すための清掃部材、例えばブラシ毛や清掃ブレード又は起毛布等の内の少なくとも一種を、回転軸の外周に取付けてなるものを使用できる。この発明において、可動吸塵体は、被掃除面から吸込み口本体内に塵を伴って吸込まれる空気を通過させるとともに、この通過した空気を回転清掃体に吹き付けるように機能するものである。更に、この発明において可動吸塵体は、吸込み口本体の前方の被掃除面に吸込み力を波及できるように設けられるものであって、吸塵開口より前側であればどこでもよいが、可能な限り吸込み口本体の前縁に寄せて設けられる方が望ましい。しかも、この発明において、可動吸塵体は、吸込み口本体の幅方向全体にわたって一つ、或いは吸込み口本体の幅方向中間部だけに一つ取付けることができる他、吸込み口本体の幅方向に間隔を置いて複数取付けることもできる。この発明において、変向とは、可動吸塵体を例えば所定角度回転させることによって、この可動吸塵体を通る気流の方向を変えることを指す。そして、この発明において、可動吸塵体を吸込み口本体の前進・後退に連動して変向させる手段として、例えば被掃除面に接して可動吸塵体を回転させる起毛布等の抵抗体を、可動吸塵体の外面に装着して実施できる他、吸込み口本体の前進・後退を検知し、この検知に応じて電気モータやソレノイド等を駆動源として可動吸塵体を回転させて行なうこともできる。この発明において、回転清掃体の逆方向回転は、吸込み口体の移動方向と吸塵開口での回転清掃体の回転方向との関係について規定し、吸込み口体を押し引きして前後に移動させる時に、この移動方向に逆らう回転清掃体の回転を指している。この逆方向回転では吸込み口本体の移動方向に回転清掃体が連れ回りしないので、塵の掻き出し性能がよい。又、この発明及び以下の発明は、キャニスタ型、アップライト型、その他の形式の電気掃除機が備える吸込み口体に好適に実施できる。
【００１１】
請求項１の発明では、吸込み口本体の前進時にも後退時にも、吸塵開口より前側の可動吸塵体を通して吸込み口本体の前側の塵を吸込むことができる。そして、可動吸塵体を通った空気は回転清掃体に当たって、この清掃体を回転させる。この場合、吸込み口本体の前進と後退とに連動して可動吸塵体が変向されることにより、前進時と後退時とでは回転清掃体に対する空気の当たり位置が異なり、それによって前進時でも後退時でも回転清掃体は吸込み口本体の移動方向に対し逆方向に回転される。そのため、吸込み口本体の前進・後退いずれの場合でも、回転清掃体による被掃除面の塵の掻き出し作用は低下しない。
【００１２】
前記課題を解決するために、請求項３の発明は、第１吸塵開口、及びこの第１吸塵開口より前側で吸塵する第２吸塵開口を有した吸込み口本体に、この本体の前進と後退とに連動する開閉体を取付け、この開閉体で吸込み口本体の前進時に第２吸塵開口を開き、後退時に第２吸塵開口を閉じるようにしたものである。
【００１３】
この発明及び以下の発明において、第１吸塵開口より前側の第２吸塵開口は、吸込み口本体の前縁前方の被掃除面に吸込み力を波及できるように設けられるものであって、吸塵開口より前側であればどこでもよいが、可能な限り吸込み口本体の前側に寄せて設けられる方が望ましい。この発明及び以下の発明において、第２吸塵開口は、吸込み口本体の幅方向全体にわたって一つ、或いは吸込み口本体の幅方向中間部だけに一つ設けることができる他、吸込み口本体の幅方向に間隔を置いて複数設けることもできる。この発明及び以下の発明において、吸込み口本体の前進・後退に連動して第２吸塵開口を開閉するために開閉体を可動させる手段としては、例えば被掃除面に接して開閉体を回動させる起毛布等の抵抗体を、吸込み口本体に回動可能に取付けられた開閉体の外面に装着して実施できる他、吸込み口本体の前進・後退を検知し、この検知に応じて電気モータやソレノイド等を駆動源として開閉体を回動等移動させること等により実施することもできる。又、この発明及び以下の発明において、吸込み口本体内に回転清掃体を設けるかどうかは任意である。
【００１４】
請求項３の発明では、吸込み口本体の前進時には開閉体が第２吸塵開口を開いているので、この吸塵開口を通して吸込み口本体の前側の塵を吸込むことができる。そして、吸込み口本体の後退時には開閉体が第２吸塵開口を閉じて、吸込み口本体内の真空度を上昇させるので、常に開いている第１吸塵開口を通して効果的に被掃除面の塵を吸込むことができる。
【００１５】
前記課題を解決するために、請求項４の発明は、第１吸塵開口、この第１吸塵開口より前側で吸塵する第２吸塵開口、及び第１吸塵開口に前側から連通しかつ被清掃面との間に通気間隙を形成する床面対向壁を有した吸込み口本体に、この本体の前進と後退とに連動する開閉体を取付け、この開閉体で吸込み口本体の前進時に第２吸塵開口及び通気間隙を夫々開くとともに、後退時に第２吸塵開口及び通気間隙を夫々閉じるようにしたものである。
【００１６】
請求項４の発明では、吸込み口本体の前進時には開閉体が第２吸塵開口及び通気間隙が夫々開いているので、吸込み口本体の前側にある比較的比重の小さい綿埃等の塵は第２吸塵開口を通して吸込み、吸込み口本体の前側にある比重の比較的大きい砂塵等の塵は通気間隙を通して被清掃面に沿わせながら吸込むことができる。そして、吸込み口本体の後退時には開閉体が第２吸塵開口及び通気間隙を夫々閉じており、吸込み口本体内の真空度を上昇させるので、常に開いている第１吸塵開口を通して効果的に被掃除面の塵を吸込むことができる。
【００１７】
【発明の実施の形態】
以下、図１〜図３を参照して本発明の第１実施形態を説明する。
【００１８】
図１に例示するキャニスタ型の電気掃除機１は、掃除機本体２と、これに内蔵された電動送風機３と、床面等の被掃除面から吸込んだ空気を掃除機本体２内に導く気流ガイド手段４と、吸込み口体５とを具備している。
【００１９】
移動車輪が取付けられている掃除機本体２は、例えば集塵室からなる集塵部６と、この集塵部６に対する空気の流れ方向の上流側に位置する吸込み口７とを有している。掃除機本体２内には、集塵部６に対する空気の流れ方向の下流側、例えば掃除機本体２の後部に位置して電動送風機３が配置されている。
【００２０】
気流ガイド手段４は、例えば可撓性の吸塵ホース１１と、例えば伸縮式で硬質な延長管１２とを備えている。吸塵ホース１１の一端部１１ａは吸込み口７に着脱可能に挿し込み接続される。吸塵ホース１１の他端部は手元操作部１１ｂで形成されている。手元操作部１１ｂが有するハンドル１１ｃには各種の操作スイッチ１３が取付けられている。延長管１２の一端部１２ａは手元操作部１１ｂの先端嵌合筒部に着脱可能に接続される。延長管１２の他端部１２ｂ又は手元操作部１１ｂの先端嵌合筒部には、吸込み口体５が選択的に着脱可能に接続される。
【００２１】
電気掃除機１の電動送風機３を駆動させることにより、この電動送風機３に吸込まれる気流が形成される。それによって、吸込み口体５から床面等の被掃除面の塵を空気とともに吸込んで、それを、延長管１２及び吸塵ホース１１のうち少なくとも吸塵ホース１１を経由させて掃除機本体２の集塵部６に導き、この集塵部６内に着脱可能に収容された集塵袋等のフィルタ６ａで前記塵を捕捉できる。なお、集塵部６は、掃除機本体２に着脱されて、その装着状態でサイクロン式の集塵ができる集塵カップで形成することもできる。集塵部６のフィルタ６ａを通過した空気は、電動送風機３に吸込まれてこの送風機３から排出された後、掃除機本体２に設けた排気口（図示しない）を通して掃除機本体２の外部に排出される。以上により被掃除面を掃除できる。
【００２２】
次に、図２及び図３を参照して吸込み口体５について説明する。この吸込み口５は、吸込み口本体１５、回転リング１６、接続管１７、回転清掃体１８、及び開閉体としての吸塵ノズル３０などを備えている。
【００２３】
吸込み口本体１５は、上ケース１５ａと、下ケース１５ｂと、中仕切り１５ｃとを含んでいる。上下両ケース１５ａ、１５ｂは互いに連結され、中仕切り１５ｃは上下両ケース１５ａ、１５ｂ間に配置されている。回転リング１６は、中仕切り１５ｃより後側に位置して上下両ケース１５ａ、１５ｂ間に取付けられている。回転リング１６は水平軸周りに回転可能である。
【００２４】
回転リング１６の後部には管継手２１が取付けられ、この継手２１には回転リング１６に対してその後側から連通する接続管１７が取付けられている。接続管１７は管継手２１側の一端部を中心として上下方向に起倒可能に設けられている。この接続管１７の起倒と回転リング１６の水平軸周りの回転との組合せによって、吸込み口本体１５に対する接続管１７の位置の自由度を得ている。なお、図２中符号２２は管継手２１に接続された固定ガイド、符号２３は管継手２１の起倒に連動して固定ガイド２２上を摺動する可動ガイドを夫々示している。両ガイド２２、２３により、接続管１７が起こされた際に、回転リング１６の後端に対して接続管１７の下部が開くにも拘らず、回転リング１６と接続管１７との間の気密が確保されるようになっている。接続管１７の図示しない他端部は延長管１２又は吸塵ホース１１に着脱可能に嵌合して接続される。
【００２５】
中仕切り１５ｃとこれを下から支持する下ケース１５ｂとにより、吸込み口本体１５には吸塵室２５が形成されている。この吸塵室２５より前側に位置する下ケース１５ｂの前部ケース壁部１５ｂｆと、中仕切り１５ｃと、上ケース１５ａとの間には本体内空間部Ｓが形成され、この空間部Ｓは、吸塵室２５を上方から覆うように形成されている。この空間Ｓと吸塵室２５とは、中仕切り１５ｃと下ケース１５ｂとの間の間隙により形成された塵通過部２６を通して連通されている。更に、本体内空間部Ｓは回転リング１６に前側から連通されている。
【００２６】
吸塵室２５は、下ケース１５ｂに開けられた第１吸塵開口２７を通して被掃除面Ｆに臨んでいる。第１吸塵開口２７は吸込み口本体１５の幅方向（図２を描いた紙面の表裏方向）に延びて形成されている。したがって、第１吸塵開口２７を通って空気とともに吸塵室２５に吸込まれた被掃除面Ｆの塵は、塵通過部２６を通って本体内空間部Ｓを流通し、この空間Ｓから回転リング１６を通って接続管１７を流通して気流ガイド手段４に吸込まれる。
【００２７】
回転清掃体１８は、吸塵室２５に内蔵されて吸込み口本体１５に取付けられている。この清掃体１８は吸込み口本体１５に組み込まれた図示しないモータを駆動源として回転駆動されるようになっている。回転清掃体１８は、回転軸１８ａの外周に清掃部材１８ｂを取付けて形成されている。清掃部材１８ｂは、それが回転清掃体１８の下端部に移動された際に被掃除面Ｆに接するように第１吸塵開口２７より突出する長さに設定されている。
【００２８】
下ケース１５ｂの前部ケース壁部１５ｂｆには、下ケース１５ｂの前面及び下面に夫々開放する溝２８が例えば一対設けられている。前部ケース壁部１５ｂｆの溝２８に臨んだ部分には第２吸塵開口２９が夫々開けられている。これらの吸塵開口２９は本体内空間部Ｓに臨んで連通している。溝２８及び第２吸塵開口２９はいずれも吸込み口本体１５の幅方向に延びている。
【００２９】
吸込み口本体１５には、この本体１５の前進・後退に連動して第２吸塵開口２９を開閉する開閉体、例えば吸塵ノズル３０が一例として回動可能に取付けられている。詳しくは、吸塵ノズル３０は、通気孔として機能する例えばノズル孔３０ａを規定する上部壁３０ｂと下部壁３０ｃとの長手方向両端を、端板３０ｄ（図３に一方のみ図示）で夫々一体に接続し、かつ、各端板３０ｄの外面に水平な軸部３０ｅ（図２に一方の軸部のみ示す。）を一体に突設して形成されている。一方、下ケース１５ｂの前部両端壁部１５ｂｅ（図３参照）及び溝２８間に位置する下ケース１５ｂの前部中間壁部１５ｂｃ（図３参照）の夫々には軸受部（図示しない）が設けられている。これら軸受部の夫々に吸塵ノズル３０の両端の軸部３０ｅを取付けることによって、吸塵ノズル３０が溝２８に収められて下ケース１５ｂに回動可能に取付けられている。
【００３０】
吸塵ノズル３０は、図２（Ａ）に示すようにノズル孔３０ａを第２吸塵開口２９に対向させる開き位置と、図２（Ｂ）に示すようにノズル孔３０ａを第２吸塵開口２９から外すとともにこの開口２９に上部壁３０ｂを対向させる閉じ位置とにわたって往復回動できる。
【００３１】
この回動は吸込み口本体１５の被掃除面Ｆ上の前進・後退に連動して自動的になされる。そのために、本実施形態では、吸込み口本体１５の前進・後退に伴う吸塵ノズル３０と被掃除面Ｆとの抵抗を利用して、吸塵ノズル３０の回動力を得ている。具体的には、下部壁３０ｃの外周面の一部に抵抗手段を設けている。この抵抗手段としては起毛布等の抵抗体３１を好適に使用できる。抵抗体３１は接着などにより下部壁３０ｃに被着されている。この抵抗体３１は被掃除面Ｆに接するように溝２８の下方に位置されている。
【００３２】
このように吸塵ノズル３０に抵抗手段を設けて、吸込み口本体１５の前進・後退に伴い吸塵ノズル３０が被掃除面Ｆから受ける抵抗により、この吸塵ノズル３０を往復回動させる構成によれば、吸込み口本体１５の前進・後退を特別に検知する構成、及びこの検知に基づいて吸塵ノズル３０を回動させる構成が不用であり、極めて単純な構成で確実に吸塵ノズル３０を往復回動させて第２吸塵開口２９を開閉できる点で優れている。
【００３３】
しかも、抵抗手段としては下部壁３０ｃの外周面を粗面とすることもできる。しかし、起毛布からなる抵抗体３１を採用することは、フローリング床面のような被掃除面Ｆを傷つけないだけではなく、同被掃除面Ｆを拭くことができる点で好ましい。
【００３４】
又、起毛布からなる抵抗体３１に関連して、下ケース１５ｂの前部中間壁部１５ｂｃには、図３に示すように起毛布からなる拭き部材３５が被着されている。この拭き部材３５と一対の吸塵ノズル３０に被着され拭き部材として機能する起毛布製の抵抗体３１とは、図３に示すように吸込み口本体１５の前縁下面位置において、吸込み口本体１５の略全幅にわたり連続するように設けられている。それにより、吸込み口本体１５の前進・後退に伴って吸込み口本体１５の前縁略全幅で被掃除面Ｆを拭けるようになっている。
【００３５】
なお、図２及び図３中符号３６はバンバー、符号３７は表面に起毛布が装着された車輪を示している。
【００３６】
前記構成の電気掃除機１を用いての掃除において、吸込み口体５は、第１吸塵開口２７が開口された下ケース１５ｂを被掃除面Ｆに対向させた状態で、この被掃除面Ｆに沿って押し引きされる。
【００３７】
吸込み口体５が前進される場合、この口体５と被掃除面Ｆとの関係は図２（Ａ）に示されている。図２（Ａ）中矢印Ｄで吸込み口体５の前進方向を示す。この前進時には、被掃除面Ｆと抵抗体３１との間に働く抵抗により、図２（Ａ）中時計回りに吸塵ノズル３０が所定角度回転されて、吸塵ノズル３０はそのノズル孔３０ａの後端開口が下ケース１５ｂの第２吸塵開口２９と対向し、ノズル孔３０ａの前端開口が被掃除面Ｆに斜めに対向する姿勢に保持される。そのため、被掃除面Ｆから吸込み口体５内への塵の吸込みは、既述のように第１吸塵開口２７を通してなされる他、この開口２７より前側の吸塵ノズル３０及び第２吸塵開口２９を通してもなされる。
【００３８】
このように第２吸塵開口２９を通して吸込み口体５の前縁より前側にある塵を吸込んで掃除できる。そのため、吸込み口体５の前縁で塵を前方に押して移動させながら掃除がされる不具合がないとともに、室内の壁際などの隅部の塵なども容易に吸込んで掃除できる。
【００３９】
しかも、本実施形態では、ノズル孔３０ａが斜めとなる姿勢に吸塵ノズル３０が保持されて、ノズル孔３０ａの上端が第２吸塵開口２９と対向し、かつ、ノズル孔３０ａの下端が被掃除面Ｆに近接して対向する。そのため、吸込み口体５の前側の塵をより確実にノズル孔３０ａを通して第２吸塵開口２９に吸込むことができる。
【００４０】
更に、本実施形態の吸込み口体５では、吸塵ノズル３０を回転させる抵抗体３１が拭き部材として機能する起毛布で作られているとともに、隣接する吸塵ノズル３０間の部分にも起毛布からなる拭き部材３５が設けられている。これら拭き部材は吸込み口体５の前縁下面に配設されているので、壁際まで被掃除面Ｆを拭くことができる。
【００４１】
吸込み口体５が後退される場合、この口体５と被掃除面Ｆとの関係は図２（Ｂ）に示されている。図２（Ｂ）中矢印Ｅで吸込み口体５の後退方向を示す。この後退時には、被掃除面Ｆと抵抗体３１との間に働く抵抗により、図２（Ｂ）中反時計回りに吸塵ノズル３０が所定角度回転されて、吸塵ノズル３０は、そのノズル孔３０ａが第２吸塵開口２９から外れるとともに上部壁３０ｂが第２吸塵開口２９に対向する、言いかえれば、第２吸塵開口２９を閉じた状態に保持される。
【００４２】
そのため、被掃除面Ｆから吸込み口体５内への塵の吸込みは、第１吸塵開口２７を通してなされるが、第２吸塵開口２９からはなされない。したがって、吸込み口体５の本体内空間部Ｓの真空度が高められて、第１吸塵開口２７を通しての塵の吸込みが強められる。
【００４３】
以上のように吸込み口体５の前進・後退に連動して吸塵ノズル３０が変向され、吸込み口体５の前進時には第２吸塵開口２９が開かれ、後退時には第２吸塵開口２９が閉じられるので、前進時に前側からの吸込みができるにも拘らず、後退時の吸塵性能を向上できる。
【００４４】
図４は本発明の第２実施形態を示している。この実施形態は基本的には第１実施形態と同様な構成であるので、同一ないしは同様な構成については第１実施形態と同じ符号を付して、その構成および作用の説明を省略し、以下異なる部分について説明する。
【００４５】
第２実施形態では吸塵室２５内の回転清掃体１８が自由回転するように吸込み口本体１５に取付けられている。
【００４６】
中仕切り１５ｃの前縁は、第２吸塵開口２９より前側において前部ケース壁部１５ｂｆ上に接している。塵通過部２６は、回転清掃体１８より後側に位置して中仕切り１５ｃの後縁と下ケース１５ｂとの間に形成されている。そのため、吸塵室２５は塵通過部２６を介して回転リング１６内に直接的に連通されている。
【００４７】
可動吸塵体例えば吸塵ノズル３０は、その回転中心となる軸部３０ｅを回転清掃体１８の回転軸１８ｂの軸心高さ位置より下側に配置して溝２８内に回転自在に取付けられている。この吸塵ノズル３０は、通気孔として機能するノズル孔３０ａを有している。ノズル孔３０ａは、吸塵ノズル３０の上下両壁３０ｂ、３０ｃにより規定されていて、前後両端が夫々開口されている。又、回転する吸塵ノズル３０のノズル孔３０ａが常に第２吸塵開口２９に対向するように、第２吸塵開口２９の上下方向の開口幅が決められている。なお、以上説明した構成以外は、図４に示されない構成を含めて第１実施形態と同一ないしは同様である。
【００４８】
この第２実施形態の電気掃除機で、吸込み口体５を前進させて掃除する場合、この口体５と被掃除面Ｆとの関係は図４（Ａ）に示されている。この前進時には、被掃除面Ｆと抵抗体３１との間に働く抵抗により、吸塵ノズル３０は時計回りに所定角度回転されて、図４（Ａ）に示す状態に保持される。この状態では、ノズル孔３０ａの後端開口が第２吸塵開口２９の上部と対向され、ノズル孔３０ａの前端開口が被掃除面Ｆに斜めに対向する。
【００４９】
そのため、被掃除面Ｆから吸込み口体５内への塵の吸込みが、第１吸塵開口２７を通してなされる他、この開口２７より前側に配置された吸塵ノズル３０のノズル孔３０ａを通して第２吸塵開口２９でもなされる。この第２吸塵開口２９での吸塵に伴って、第２吸塵開口２９を通った吸込み空気が、回転清掃体１８の上部側、詳しくは回転軸１８ａより上側に吹き当てられるので、この清掃体１８は、吸込み口体５の前進方向に対して図４（Ａ）中反時計回り（矢印Ｇで示す。）に逆回転される。
【００５０】
このように第２吸塵開口２９を通して吸込み口体５の前側にある塵を吸込んで掃除できる。そのため、吸込み口体５の前縁で塵を前方に押して移動させながら掃除がされる不具合がないとともに、室内の壁際などの隅部の塵なども容易に吸込んで掃除できる。
【００５１】
更に、本実施形態の吸込み口体５では、吸塵ノズル３０を回転させる抵抗体３１が拭き部材として機能する起毛布で作られているとともに、隣接する吸塵ノズル３０間の部分にも起毛布からなる拭き部材３５が設けられている。これら拭き部材は吸込み口体５の前縁下面に配設されているので、壁際まで被掃除面Ｆを拭くことができる。
【００５２】
しかも、既述のように吸塵ノズル３０を通る吸込み気流によって与えられる回転清掃体１８の反時計回りの回転方向は、第１吸塵開口２７では吸込み口体５の前進方向（矢印Ｄ方向）に逆らう方向である。この逆方向回転では吸込み口本体５の前進方向に回転清掃体１８が連れ回りしない。そのため、回転清掃体１８により被掃除面Ｆの塵の掻き出し性能がよい。
【００５３】
吸込み口体５が後退される場合、この口体５と被掃除面Ｆとの関係は図４（Ｂ）に示されている。この後退時には、被掃除面Ｆと抵抗体３１との間に働く抵抗により、吸塵ノズル３０が反時計回りに所定角度回転されて、吸塵ノズル３０は図４（Ｂ）に示す状態に保持される。この状態では、ノズル孔３０ａの後端開口が第２吸塵開口２９の下部と対向され、ノズル孔３０ａの前端開口が前方に向いた姿勢に吸塵ノズル３０が保持される。しかも、ノズル孔３０ａの前端開口は後端開口より少し高い位置にあって、ノズル孔３０ａは少し後傾している。
【００５４】
そのため、被掃除面Ｆから吸込み口体５内への塵の吸込みが、既述のように第１吸塵開口２７を通してなされる他、この開口２７より前側に配置された吸塵ノズル３０のノズル孔３０ａを通って第２吸塵開口２９でもなされる。この第２吸塵開口２９での吸込みに伴って、第２吸塵開口２９を通った吸込み空気が、回転清掃体１８の下部側、詳しくは回転軸１８ａより下側に吹き当てられるので、この清掃体１８は図４（Ｂ）中時計回り（矢印Ｈで示す。）に回転される。
【００５５】
このように吸込み気流によって与えられる回転清掃体１８の時計回りの回転方向は、第１吸塵開口２７では吸込み口体５の後退方向（矢印Ｅ方向）に逆らう向方向である。この逆方向回転では吸込み口本体５の後退方向に回転清掃体１８が連れ回りしない。そのため、回転清掃体１８による被掃除面Ｆの塵の掻き出し性能がよく、こうして掻き出された塵を第１吸塵開口２７を通して容易に吸込むことができる。
【００５６】
以上のように吸込み口体５の前進・後退に連動して可動吸塵体としての吸塵ノズル３０の姿勢が切り替わって、前進時にはノズル孔３０ａを通して第２吸塵開口２９から吸塵できることに伴い、前側からの吸込みができるにも拘らず、前進・後退いずれの場合にも吸塵ノズル３０を通った吸込み気流によって回転清掃体１８の回転方向が、吸込み口体５の移動方向に対して逆方向回転に切換えられるので、後退時の吸塵性能を向上できるものである。
【００５７】
図５〜図８は本発明の第３実施形態を示している。この実施形態は基本的には第１の実施形態と同様な構成であるので、同一ないしは同様な構成については第１の実施形態と同符号を付して、その構成及び作用の説明を省略し、以下異なる部分について説明する。なお、第３の実施形態では、第１の実施形態と同様に、吸込み口本体１５内に図示しないモータが内蔵され、吸塵室２５内の軸受４１によって着脱自在に軸支された回転清掃体１８はこのモータを駆動源として回転駆動されるようになっているが、回転清掃体１８及びモータは省略してもよい。図８中符号４２は回転清掃体１８の回転軸１８ａの一端部に取付けられたベルトプーリ、符号４３はモータとベルトプーリ４２との間に掛け渡されたベルトを示している。
【００５８】
下ケース１５ｂの前部ケース壁部１５ｂｆには、下ケース１５ｂの前面及び下面に夫々開放する溝２８が吸込み口本体１５の幅方向に延びている。前部ケース壁部１５ｂｆの溝３８に臨んだ部分には第２吸塵開口２９が吸込み口本体１５の幅方向に延びるように開けられている。前部ケース壁部１５ｂｆの下部は、第１吸塵開口２７に前側から連通しかつ被清掃面Ｆとの間に通気間隙４５を形成する床面対向壁４４を形成している。この床面対向壁４４と被清掃面Ｆとの間に形成される通気間隙４５の風路断面積は、第２吸塵開口２９への吸込み風路断面積以下に設定されている。また、この前部ケース壁部１５ｂｆには、第２吸塵開口２９よりも前側に位置して、後述する吸塵ノズル３０の上部壁３０ｂに設けられたストッパ３０ｈが当接する第１当接部４０ａが形成されているとともに、第２吸塵開口２９よりも後側に位置して、前記ストッパ３０ｈが当接する第２当接部４０ｂが形成されている。
【００５９】
吸込み口本体１５の溝２８内には、開閉体例えば吸塵ノズル３０が回転自在に取付けられている。この吸塵ノズル３０は、吸込み口本体１５の前進時に第２吸塵開口２９及び通気間隙４５を夫々開くとともに、吸込み口本体１５の後退時に第２吸塵開口２９及び通気間隙４５を夫々閉じるように形成されている。
【００６０】
詳しくは、吸塵ノズル３０は、図５〜図７に示すように、上部壁３０ｂ、下部壁３０ｃ、及び抵抗部３２等を備えている。なお、図５は吸込み口本体１５の幅方向の端部付近を示しており、図６は吸込み口本体１５の幅方向中央部付近を示している。
【００６１】
上部壁３０ｂの本体内空間部Ｓ側の端部からは、吸込み口本体１５の幅方向に延びるストッパ３０ｈが例えば３つ突設されている。一方、下部壁３０ｃの長手方向中間部は、この中間部の一部が平坦面となるように前側端部が切り欠かれている。図５（Ａ）（Ｂ）中符号３０ｉは切り欠きにより形成された平坦部を示している。また、この下部壁３０ｃの外面には、平坦部３０ｉよりも後側に抵抗部３２を取付けるための取付け部が形成されているとともに、この取付け部に凸部３３が形成されている。
【００６２】
抵抗部３２は、例えば合成樹脂等からなる抵抗部本体３２ａと起毛布等からなる抵抗体３１とを備えている。抵抗部本体３２ａは、断面略半円形状の外形に形成されている。この抵抗部本体３２ａの長手方向の中間部は、下部壁３０ｃに取付けたときにこの下部壁３０ｃの平坦部３０ｉから著しく外側に突出しないように、平坦部３０ｉに対応させて前側端部が切り欠かれている。抵抗部３２の平坦面状の内面には、下部壁３０ｃに形成された凸部３３に嵌合する凹部３４が形成されている。抵抗体３１は抵抗部本体３２ａの円弧面上の外面に接着等により軸方向（吸込み口本体１５の幅方向）に延びるように被着されている。
【００６３】
この吸塵ノズル３０は、ノズル孔３０ａを規定する上部壁３０ｂと下部壁３０ｃとの長手方向両端を端板３０ｄで夫々一体に接続し、かつ、下部壁３０ｃに抵抗部３２を嵌合させることにより形成されている。この実施形態では、下部壁３０ｃに凸部３３を形成するとともに、抵抗部３２の抵抗部本体３２ａに凸部３３と嵌合する凹部３４を設けて、凸部３３に凹部３４を嵌合させることで下部壁３０ｃに抵抗部３２を取付けているため、吸塵ノズル３０が回転して抵抗体３１と被清掃面Ｆとの間に抵抗が生じても、抵抗部３２が下部壁３０ｃからずれ難い。
【００６４】
また、図８に示すように、上部壁３０ｂと下部壁３０ｃとにより規定されるノズル孔３０ａの前端開口は、吸込み口本体１５の幅方向の略全域に延びるように開けられている。また、吸塵ノズル３０の内部には、吸塵ノズル３０の後側に配置される回転清掃体１８の回転軸１８ａの両端部及びこの回転軸１８ａを軸支する軸受４１にノズル孔の後端開口から吐き出された風が当たり難いように、前側から後側に向かって長手方向の中央部側に向かって狭まる内壁３０ｆが形成されている。なお、図８中符号３０ｇはノズル孔３０ａの形状を保持するための柱部を示している。
【００６５】
この吸塵ノズル３０は、吸込み口体５の前進時に、ノズル孔３０ａの後端開口が第２吸塵開口２９の上部と対向され且つノズル孔３０ａの前端開口が被掃除面Ｆに斜めに対向するとともに、吸塵ノズル３０の平坦部３０ｉが被清掃面Ｆと対向する。これにより、第２吸塵開口２９への吸込み風路と通気間隙４５とができる。なお、以上説明した構成以外は、図５〜図８に示されない構成を含めて第１実施形態と同一ないしは同様である。
【００６６】
この第３実施形態の電気掃除機で、吸込み口体５を前進させて掃除する場合、この口体５と被掃除面Ｆとの関係は図５（Ａ）及び図６（Ａ）に示されている。回転清掃体１８はモータにより、図５（Ａ）及び図６（Ａ）において矢印Ｘで示すように反時計周りに回転されている。
【００６７】
この前進時には、被掃除面Ｆと抵抗部３２との間に働く抵抗により、吸塵ノズル３０は時計回りに所定角度回転され、ストッパ３０ｈが第１当接部４０ａに当接して、図５（Ａ）及び図６（Ａ）に示す状態に保持される。この状態では、ノズル孔３０ａの後端開口が第２吸塵開口２９の上部と対向され且つノズル孔３０ａの前端開口が被掃除面Ｆに斜めに対向するとともに、吸塵ノズル３０の平坦部３０ｉが被清掃面Ｆと対向する。
【００６８】
そのため、被掃除面Ｆから吸込み口体５内への塵の吸込みは、既述のように第１吸塵開口２７から直接取り込まれてなされる他、第２吸塵開口２９及び通気間隙４５を通してもなされる。風路断面が大きく、ノズル孔３０ａの前端開口が被掃除面Ｆに斜めに対向している第２吸塵開口２９への吸込み風路では、比較的比重が小さく体積の大きい塵、例えば綿埃等を好適に吸込むことができる。これに対し、風路断面が小さく、吸込み口体５の前方の被清掃面Ｆに対して水平方向に形成されている通気間隙４５からは、負圧が高く吸引力が強いので、比較的比重が大きい塵、例えば砂塵等を被清掃面Ｆに沿わせながら第１吸塵開口２７を介して内部に好適に吸込むことができる。なお、例えば毛足の長い絨毯等を掃除する場合等、通気間隙４５が塞がれても第２吸塵開口２９は開かれているので、吸込み口本体１５の前側の被清掃面Ｆ上の塵を吸込むことができる。
【００６９】
また、本実施形態では、通気間隙４５の風路断面積は、第２吸塵開口２９への吸込み風路断面積以下に設定されている。したがって、第２吸塵開口２９への吸込み風路では、綿埃等の比較的大きな塵を円滑に吸込むことができる。また、通気間隙４５は第２吸塵開口２９への吸込み風路と比べて負圧が高いので、砂埃等の比較的比重の大きな塵を良好に吸込むことができる。
【００７０】
さらに、吸塵ノズル３０のノズル孔３０ａは、図８に示すように、ノズル孔３０ａの前端開口は、吸込み口本体１５の幅方向の略全域に延びるように開けられているので、吸込み口本体１５の略全幅にわたって塵を取込むことができる。しかも、吸塵ノズル３０の内部には、吸塵ノズル３０の後側に配置される回転清掃体１８の回転軸１８ａの両端部及びこの回転軸１８ａを軸支する軸受４１にノズル孔の後端開口から吐き出された風が当たり難いように、前側から後側に向かって長手方向の中央部側に向かって狭まる内壁３０ｆが形成されているため、第２吸塵開口２９を通って吸込み口本体１５内に取り込まれた塵は、回転清掃体１８の回転軸１８ａの両端部及び軸受４１等に付着することなく、回転清掃体１８で掻き上げられて本体内空間部Ｓに収容される。
【００７１】
このように第１吸塵開口２７及び第２吸塵開口２９を通して吸込み口体５の前側にある塵を吸込んで掃除できる。そのため、吸込み口体５の前縁で塵を前方に押して移動させながら掃除がされる不具合がないとともに、室内の壁際などの隅部の塵なども容易に吸込んで掃除できる。
【００７２】
更に、本実施形態の吸込み口体５では、吸塵ノズル３０を回転させる抵抗体３１が拭き部材として機能する起毛布で作られており、この拭き部材は前進時において吸塵ノズル３０の両端部外面に配設されているので、壁際まで被掃除面Ｆを拭くことができる。
【００７３】
また、本実施形態では、第１吸塵開口２７に臨んで吸込み口本体１５に回転清掃体１８が回転自在に内蔵されているため、第１吸塵開口２７に対向する被清掃面Ｆ上の塵だけでなく、通気間隙４５を通って第１吸塵開口２７に吸込まれた塵を、この回転清掃体１８によって本体内空間部Ｓに向けて掻き上げることができる。
【００７４】
なお、吸込み口体５に回転清掃体１８を内蔵する場合には、吸塵ノズル３０のノズル孔３０ａは、図８に示すように、前側から後側に向かって長手方向の中央部側に向かって狭まるように形成するのが好ましい。このようにすることにより、回転軸１８ａの両端部や軸受４１に塵が付着して、回転清掃体１８の回転の妨げになることを抑制することができる。
【００７５】
吸込み口体５が後退される場合、この口体５と被掃除面Ｆとの関係は図５（Ｂ）及び図６（Ｂ）に示されている。前進時と同様に、回転清掃体１８はモータにより、図５（Ａ）及び図６（Ａ）において矢印Ｘで示すように反時計周りに回転されている。
【００７６】
この後退時には、被掃除面Ｆと抵抗部３２との間に働く抵抗により、吸塵ノズル３０が反時計回りに所定角度回転され、ストッパ３０ｈが第２当接部４０ｂに当接して、図５（Ｂ）及び図６（Ｂ）に示す状態に保持される。この状態では、ノズル孔３０ａの後端開口が第２吸塵開口２９の下部と対向され、ノズル孔３０ａの前端開口が前方に向いた姿勢に吸塵ノズル３０が保持される。また、この状態では、吸塵ノズル３０の平坦部３０ｉは少し下向きの状態で前側を向く。そのため、第２吸塵開口２９及び通気間隙４５は夫々閉じられる。したがって、第１吸塵開口２７と対向する被清掃面Ｆからの第１吸塵開口２７を通る吸込みはなされるが、第２吸塵開口２９を通しての吸込み及び通気間隙４５を通しての吸込みはなされないので、吸込み口体５の本体内空間部Ｓの真空度が高められて、第１吸塵開口２７を通しての塵の吸込みが強められる。また、吸塵ノズル３０を回転させる抵抗体３１が拭き部材として機能する起毛布で作られており、後退時には、この抵抗体３１が吸塵ノズル３０の長手方向全域に渡って被清掃面Ｆと接するようになるので、被掃除面Ｆを拭くことができる。
【００７７】
以上のように吸込み口体５の前進・後退に連動して吸塵ノズル３０が変向され、吸込み口体５の前進時に、第２吸塵開口２９及び通気間隙４５を通しての前側からの吸込みができるにも拘らず、後退時の吸塵性能を向上できる。
【００７８】
【発明の効果】
請求項１の発明によれば、吸込み口本体の前進時に吸塵開口より前側の可動吸塵体を通して吸込み口本体の前側の塵を吸込むことができるにも拘らず、吸込み気流を利用して吸込み口本体の後退時に回転清掃体を逆方向に回転させるので、後退時の吸塵性能を向上可能な吸込み口体を提供できる。
【００７９】
請求項３の発明によれば、吸込み口本体の前進時に開いている第２吸塵開口を通して吸込み口本体の前側の塵を吸込むことができるにも拘らず、吸込み口本体の後退時に第２吸塵開口を閉じて吸込み口本体内の真空度を上昇させるので、後退時に第１吸塵開口を通しての吸塵性能を向上可能な吸込み口体を提供できる。
【００８０】
請求項４の発明によれば、吸込み口本体の前進時に、第２吸塵開口を開けて吸込み口本体の前側の比較的比重の小さい塵を吸込むとともに、通気間隙を開けて第１吸塵開口の前方の比較的比重の大きい塵を被清掃面に沿わせて第１吸塵開口に吸込むことができるにも拘らず、吸込み口本体の後退時に第２吸塵開口を閉じるとともに第１吸塵開口の前方からの被清掃面に沿う第１吸塵開口への吸込みを抑制して吸込み口本体内の真空度を上昇させるので、後退時に第１吸塵開口を通しての吸塵性能を向上可能な吸込み口体を提供できる。
【００８１】
請求項６の発明によれば、請求項１又は３の吸込み口体を備えているので、吸込み口体の前進時に前側からの吸込みができるにも拘らず、吸込み口体の後退時の吸塵性能を向上可能な電気掃除機を提供できる。
【図面の簡単な説明】
【図１】本発明の第１実施形態に係る電気掃除機を示す斜視図。
【図２】（Ａ）は図１の電気掃除機が備える吸込み口体を被掃除面に沿って前進させた時の断面図。（Ｂ）は図１の電気掃除機が備える吸込み口体を被掃除面に沿って後退させた時の断面図。
【図３】図１の電気掃除機が備える吸込み口体の下ケースを示す斜視図。
【図４】（Ａ）は本発明の第２実施形態に係る電気掃除機が備える吸込み口体を被掃除面に沿って前進させた時の断面図。（Ｂ）は図４（Ａ）の吸込み口体を被掃除面に沿って後退させた時の断面図。
【図５】（Ａ）は本発明の第３の実施形態に係る電気掃除機が備える吸込み口体を被清掃面に沿って前進させた時の吸込み口本体の幅方向中央部付近を示す断面図。（Ｂ）は図５（Ａ）の吸込み口体を被清掃面に沿って後退させた時の吸込み口本体の幅方向中央部付近を示す断面図。
【図６】（Ａ）は図５（Ａ）の吸込み口体を被清掃面に沿って前進させた時の吸込み口本体の幅方向端部付近を示す断面図。（Ｂ）は図５（Ａ）の吸込み口体を被清掃面に沿って後退させた時の吸込み口本体の幅方向端部付近を示す断面図。
【図７】図５（Ａ）の吸込み口体が備える開閉体を示す斜視図。
【図８】図５（Ａ）の吸込み口体が備える回転清掃体と開閉体との関係を示す上面図。
【符号の説明】
１…電気掃除機
２…掃除機本体
３…電動送風機
５…吸込み口体
６…集塵部（集塵室）
６ａ…フィルタ
１５…吸込み口本体
１８…回転清掃体
２５…吸塵室
２７…第１吸塵開口
２８…溝
２９…第２吸塵開口
３０…吸塵ノズル（開閉体）
３０ａ…ノズル孔（通気孔）
３１…抵抗体（抵抗手段）
４４…床面対向壁
４５…通気間隙
Ｄ…吸込み口体の前進方向
Ｅ…吸込み口体の後退方向
Ｆ…被掃除面
Ｇ…吸込み口体の前進時の回転清掃体の回転方向
Ｈ…吸込み口体の後退時の回転清掃体の回転方向
【図１】
2004065915.tif 000003
【図２】
2004065915.tif 000004
【図３】
2004065915.tif 000005
【図４】
2004065915.tif 000006
【図５】
2004065915.tif 000007
【図６】
2004065915.tif 000008
【図７】
2004065915.tif 000009
【図８】
2004065915.tif 000010